(57)【要約】【課題】帯封紙葉類の残留の検知精度を向上させる。【解決手段】紙葉類処理装置（紙幣処理機１０）は、払出口４８ｃを通じて払い出す帯封紙葉類を、払出空間４８ｄ内に保持する払出部（帯封紙幣払出部４８）と、載置面４６ｂに載置している帯封紙葉類を、払出空間内に搬送する昇降部４６ａと、昇降部を払出空間内において上昇させることによって、払出空間内に帯封紙葉類が残留していないことを確認する残留チェック処理を行う制御部３００と、を備える。制御部は、残留チェック処理の実行時に、載置面が払出空間内における所定の最上位位置まで到達すれば、払出空間内に前記帯封紙葉類が残留していないと判断する。【選択図】図６
2019016047.tif 000002
【特許請求の範囲】
【請求項１】
払出口を通じて払い出す帯封紙葉類を、払出空間内に保持する払出部と、
載置面に載置している前記帯封紙葉類を、前記払出空間内に搬送する昇降部と、
前記昇降部を前記払出空間内において上昇させることによって、前記払出空間内に前記帯封紙葉類が残留していないことを確認する残留チェック処理を行う制御部と、を備え、
前記制御部は、前記残留チェック処理の実行時に、前記載置面が前記払出空間内における所定の最上位位置まで到達すれば、前記払出空間内に前記帯封紙葉類が残留していないと判断する紙葉類処理装置。
【請求項２】
前記制御部は、前記残留チェック処理の実行時に、前記載置面が前記最上位位置まで到達しなければ、前記払出空間内に前記帯封紙葉類が残留していると判断する請求項１に記載の紙葉類処理装置。
【請求項３】
前記制御部は、前記残留チェック処理の実行時に、前記載置面が前記最上位位置まで到達しなければ、警報を発する請求項１又は２に記載の紙葉類処理装置。
【請求項４】
前記制御部は、前記残留チェック処理の実行時に、前記載置面が前記最上位位置まで到達しなければ、前記払出空間内に残留している前記帯封紙葉類を、前記払出口を通じて、操作者に取り出させる取出処理を実行する請求項１〜３のいずれか１項に記載の紙葉類処理装置。
【請求項５】
前記払出空間内に前記帯封紙葉類が保持されていることを検知する検知部を備え、
前記制御部は、前記検知部が前記帯封紙葉類の保持を検知していないときに、前記残留チェック処理を実行する請求項1〜４のいずれか1項に記載の紙葉類処理装置。
【請求項６】
前記制御部は、紙葉類処理装置のリセット動作を行った時、前記払出口から前記帯封紙葉類が取り出された時、各種の処理を開始する時、及び、各種の処理が終了した時、の少なくとも一のタイミングで、前記残留チェック処理を実行する請求項１〜５のいずれか１項に記載の紙葉類処理装置。
【発明の詳細な説明】
【技術分野】
【０００１】
ここに開示する技術は、紙葉類処理装置に関する。
【背景技術】
【０００２】
特許文献１には、小束紙幣（つまり、帯封紙によって帯封された帯封紙葉類）の出金が可能な出納機が記載されている。この出納機は、出金口から小束紙幣を出金するときに、昇降するステージの載置部に出金対象の小束紙幣を積み重ねる。載置部は回動可能に設けられていて、小束紙幣が載置されていると水平状態になると共に、小束紙幣が載置されていないときにはスプリングによって傾くように付勢されている。載置部の姿勢をセンサによって検知することにより、この出納機は、載置部に載置された小束紙幣がオペレータによって出金口から取り出されたか否かを、判断するよう構成されている。
【先行技術文献】
【特許文献】
【０００３】
【特許文献１】特開２０１４−８１６７７号公報
【発明の概要】
【発明が解決しようとする課題】
【０００４】
前記の出納機は、ステージの載置部に小束紙幣が載置されているか否かを判断することができる。しかしながら、ステージの上に小束紙幣が載らずに、出金口の付近に小束紙幣が引っかかってしまった場合等には、前記の出納機は、センサの信号に基づいて小束紙幣が出金口から取り出されたと判断してしまう一方で、出金口の付近に帯封紙葉類が残留してしまう恐れがある。
【０００５】
また、ステージの上に小束紙幣が載っているか否かをセンサによって検知するのではなく、出金口の付近に複数の光学式センサ（例えばフォトインタラプタ）を配置し、小束紙幣がセンサを遮光するか否かによって、ステージの上に小束紙幣が載っているか否か、及び、出金口の付近に小束紙幣が存在しているか否かを判断するようよう構成することが考えられる。
【０００６】
しかしながら、本願発明者らの検討によると、小束紙幣が存在しているにも関わらず小束紙幣が遮光しない状況が起こり得ることがわかった。例えば小束紙幣が全体的に曲がっている、又は、折れているといったように、小束紙幣が変形していると、小束紙幣がセンサの光軸をかわしてしまって、センサを遮光しないことが起こり得る。また、小束紙幣が端面を下にして立っている、又は、斜めになっているといったように、小束紙幣の姿勢が異常であるときも、小束紙幣がセンサの光軸をかわしてしまって、センサを遮光しないことが起こり得る。さらに、小束紙幣の変形と姿勢異常とが組み合わさることによって、センサを遮光しなくなることもある。
【０００７】
出金口の付近に配置する光学式センサの数を増やしたり、センサの位置や角度を工夫したりすることによって検知精度を高めようとしても、検知漏れを確実に回避することは困難である。一方で、光学式センサの数を増やすと、コストが増大すると共に、光学式センサの数が増える結果、センサ同士が近接してしまうと、そのことに起因する誤検知も発生してしまう。
【０００８】
出金口の付近に小束紙幣が残留してしまうと、出金異常（つまり、出金不足や、次の取引における出金過剰）を招いたり、処理装置の在高異常を招いたりする。さらに、出金口の付近に残留している小束紙幣が  、次の取引時に、小束紙幣の集積異常を招くことにもなる。
【０００９】
ここに開示する技術はかかる点に鑑みてなされたものであり、その目的とするところは、帯封紙葉類の残留の検知精度を向上させることにある。
【課題を解決するための手段】
【００１０】
ここに開示する技術は、紙葉類処理装置に係る。この紙葉類処理装置は、払出口を通じて払い出す帯封紙葉類を、払出空間内に保持する払出部と、載置面に載置している前記帯封紙葉類を、前記払出空間内に搬送する昇降部と、前記昇降部を前記払出空間内において上昇させることによって、前記払出空間内に前記帯封紙葉類が残留していないことを確認する残留チェック処理を行う制御部と、を備え、前記制御部は、前記残留チェック処理の実行時に、前記載置面が前記払出空間内における所定の最上位位置まで到達すれば、前記払出空間内に前記帯封紙葉類が残留していないと判断する。
【００１１】
この構成によると、紙葉類処理装置は、払出部から帯封紙葉類を払い出す。具体的に、払出対象の帯封紙葉類は、払出空間内に保持される。操作者は、払出空間内に保持されている帯封紙葉類を、払出口を通じて取り出す。
【００１２】
制御部は、残留チェック処理を行う。制御部は、残留チェック処理の実行時に、昇降部を払出空間内において上昇させる。払出空間内に帯封紙葉類が残留していなければ、昇降部の載置面は、払出空間内における所定の最上位位置まで到達することができる。制御部は、昇降部の載置面が最上位位置まで到達すれば、払出空間内に前記帯封紙葉類が残留していないと判断する。
【００１３】
払出空間内に帯封紙葉類が残留していると、昇降部が上昇している間に、残留している帯封紙葉類が昇降部の載置面の上に載る。昇降部をさらに上昇させると、払出空間内の最上位位置と昇降部の載置面との間に帯封紙葉類が挟まる。帯封紙葉類は、ある程度以上の厚みを有しているから、載置面は、それ以上に上昇することができず、払出空間内における最上位位置に到達しない。
【００１４】
載置面が所定の最上位位置まで到達したことは、公知の様々な構成かつ、比較的安価な構成によって精度よく検知することができるから、前記の構成の紙葉類処理装置は、帯封紙葉類の残留を検知する精度を、安価な構成によって高めることができる。
【００１５】
前記制御部は、前記残留チェック処理の実行時に、前記載置面が前記最上位位置まで到達しなければ、前記払出空間内に前記帯封紙葉類が残留していると判断する、としてもよい。
【００１６】
ここで、昇降部の載置面が最上位位置に到達したことは、例えばフォトインタラプタや、リミットスイッチ等のセンサを用いて検知してもよい。制御部は、残留チェック処理の開始後（つまり、昇降部が上昇を開始してから）予め定めた所定時間内に、これらのセンサが、昇降部の載置面が最上位位置に到達したことを検知しないときに、昇降部の載置面は最上位位置に到達することができない、と判断してもよい。
【００１７】
また、払出空間内に帯封紙葉類が残留していると、載置面が払出空間内の最上位位置に到達する前に、昇降部の上昇が停止する。そこで、前述したセンサを用いる構成以外にも、昇降部を上昇させる電動モータの回転を検知することによって、制御部は、昇降部の載置面が最上位位置に到達できないことを判断したり、電動モータに供給される電流値を検知することによって、制御部は、昇降部の載置面が最上位位置に到達できないことを判断したりしてもよい。
【００１８】
前記制御部は、前記残留チェック処理の実行時に、前記載置面が前記最上位位置まで到達しなければ、警報を発する、としてもよい。
【００１９】
載置面が最上位位置まで到達しないときには、払出空間内に帯封紙葉類が残留している、又は、残留している可能性が高いため、警報を発して、そのことを操作者に知らせることが好ましい。出金異常、在高異常、及び、払出空間内における集積異常を、未然に回避することができる。
【００２０】
前記制御部は、前記残留チェック処理の実行時に、前記載置面が前記最上位位置まで到達しなければ、前記払出空間内に残留している前記帯封紙葉類を、前記払出口を通じて、操作者に取り出させる取出処理を実行する、としてもよい。
【００２１】
取出処理は、例えば、残留チェック処理時に上昇させた昇降部を下降させると共に、払出口を開放する（つまり、払出口を開閉する開閉部が存在しているときには、その開閉部を開ける）処理としてもよい。残留チェック処理時に最上位位置と載置面との間に挟まれた帯封紙葉類は、昇降部の下降に伴って下降する。操作者は、払出口を通じて、払出空間内の帯封紙葉類を取り出すことができる。
【００２２】
前記紙葉類処理装置は、前記払出空間内に前記帯封紙葉類が保持されていることを検知する検知部を備え、前記制御部は、前記検知部が前記帯封紙葉類の保持を検知していないときに、前記残留チェック処理を実行する、としてもよい。
【００２３】
検知部は、例えば払出空間内の所定の位置に配設されると共に、帯封紙葉類が遮光をすることによって払出空間内に前記帯封紙葉類が保持されていることを検知する、一つ又は複数の光学式センサとしてもよい。また、載置面の位置及び／又は姿勢が、帯封紙葉類が載置されているときと、帯封紙幣が載置されていないときとで変化するよう、昇降部を構成したときには、検知部は、載置面の位置及び／又は姿勢を検知するセンサとしてもよい。
【００２４】
検知部が帯封紙葉類の保持を検知しているときには、残留チェック処理を実行しなくても、帯封紙葉類が、払出空間内に存在していることがわかる。制御部は、無駄な残留チェック処理を行わないことによって、時間を節約することができる。また、残留チェック処理は、前述したように、払出空間内に存在している帯封紙葉類が、最上位位置と載置面との間に挟まれるため、帯封紙葉類が破損したり、払出空間内の部材が破損したりする恐れがある。制御部が無駄な残留チェック処理を行わないことによって、そうした破損が発生することを回避することができる。
【００２５】
前記制御部は、紙葉類処理装置のリセット動作を行った時、前記払出口から前記帯封紙葉類が取り出された時、各種の処理を開始する時、及び、各種の処理が終了した時、の少なくとも一のタイミングで、前記残留チェック処理を実行する、としてもよい。
【００２６】
残留チェック処理を、適宜のタイミングで実行することによって、出金異常、在高異常、及び、集積異常を回避することができる。
【発明の効果】
【００２７】
以上説明したように、前記の紙葉類処理装置によると、帯封紙葉類の残留を精度よく検知することができる。
【図面の簡単な説明】
【００２８】
【図１】図１は、貨幣処理装置の全体構成を例示する図である。
【図２】図２は、紙幣処理機の内部構成を例示する図である。
【図３】図３は、貨幣処理装置の構成例を示すブロック図である。
【図４】図４は、紙幣処理機の帯封紙幣払出部の構成を例示する、平面断面図（上図）、及び、側面断面図（下図）である。
【図５】図５は、帯封紙幣の出金時に、帯封紙幣払出部が複数束の帯封紙幣を保持している状態を例示する側面断面図である。
【図６】図６は、残留チェック処理時に、昇降部の載置面が最上位位置まで到達した状態を示す図５対応図である。
【図７】図７は、払出空間内に、帯封紙幣が残留している様子を例示する図５対応図である。
【図８】図８は、残留チェック処理時に、昇降部の載置面が最上位位置まで到達しない状態を示す図５対応図である。
【図９】図９は、残留チェック処理に関し、制御部が実行する制御プロセスを例示するフローチャートである。
【図１０】図１０は、払出空間内に残留している帯封紙幣の取り出しを、操作者に警報する画面の一例である。
【図１１】図１１は、貨幣処理装置のメニュー画面を例示する図である。
【図１２】図１２は、帯封設定画面を例示する図である。
【図１３】図１３は、帯封紙幣の払い出しパターンを説明する図である。
【図１４】図１４は、帯封紙幣の出金処理を実行中の画面を例示する図である。
【図１５】図１５は、図２とは異なる構成の、紙幣処理機の内部構成を例示する図である。
【発明を実施するための形態】
【００２９】
以下、紙葉類処理装置の実施形態を図面に基づいて詳細に説明する。以下の説明は、紙葉類処理装置の一例である。図１は、紙幣処理機１０を含む貨幣処理装置１の全体構成例を示している。紙幣処理機１０は、紙葉類処理装置の一例である。貨幣処理装置１は、例えば銀行等の金融機関における出納機として設置される。貨幣処理装置１は、金融機関の行員等により利用される。尚、紙葉類処理装置は、金融機関の出納機に含まれる装置に限定されない。紙葉類処理装置は、様々な用途の処理装置を含む。また、紙葉類処理装置は、単独で機能する装置であってもよい。
【００３０】
（貨幣処理装置の全体構成）
図１は貨幣処理装置１の外観を示している。貨幣処理装置１は、紙幣処理機１０及び硬貨処理機１１０が左右に並ぶよう配置されることにより構成されている。紙幣処理機１０は、バラ紙幣の入出金処理を実行可能である。また、紙幣処理機１０は、帯封紙幣（つまり、帯封紙葉類）の作成や、帯封紙幣の出金処理を実行可能である。帯封紙幣は、所定枚数（例えば１００枚）のバラ紙幣を帯封紙によって帯封することによって作成される。硬貨処理機１１０は、バラ硬貨の入出金処理を実行可能である。硬貨処理機１１０はまた、包装硬貨の作成や、包装硬貨の出金処理を実行可能である。包装硬貨は、所定枚数（例えば５０枚）のバラ硬貨に紙やフィルム等の包装媒体を巻くことによって作成される。
【００３１】
操作表示部３０２は、硬貨処理機１１０の筐体１１２の上部に設けられた、例えばタッチパネル等からなる。操作表示部３０２は、貨幣処理装置１における紙幣や硬貨の処理状況や、貨幣処理装置１に収納されている紙幣や硬貨の在高等の情報を表示する。また、操作者はこの操作表示部３０２を介して、様々な操作を行うことができる。
【００３２】
印字部３０４は、貨幣処理装置１における紙幣や硬貨の処理状況や、貨幣処理装置１に収納されている紙幣や硬貨の在高等の情報をレシート等に印刷するプリンタ等から構成されている。
【００３３】
図２は紙幣処理機１０の内部構成を概略的に示す構成図である。図２において、左側が紙幣処理機１０の前面側であり、左右方向が紙幣処理機１０の奥行き方向である。図１及び図２を用いて、紙幣処理機１０の構成について説明する。なお、硬貨処理機１１０に関しては、その構成の詳細については説明を省略する。
【００３４】
図１及び図２に示すように、紙幣処理機１０は略直方体形状の筐体１２を有しており、この筐体１２の前面には、バラ紙幣を入金するための投入部１４、バラ紙幣を出金するためのバラ紙幣払出部２４、及び、帯封紙幣を出金するための帯封紙幣払出部４８がそれぞれ設けられている。投入部１４の前面は筐体１２の外部に開口しており、操作者は投入部１４の内部にバラ紙幣の束を投入することができる。一方、バラ紙幣払出部２４にはシャッター２４ａが設けられている。帯封紙幣払出部４８には、払出口４８ｃを開閉するシャッター４８ａが設けられている。シャッター２４ａ，４８ａは後述するシャッター駆動部２４ｂ，４８ｂによりそれぞれ駆動される。シャッター２４ａ，４８ａによりバラ紙幣払出部２４や帯封紙幣払出部４８の払出口４８ｃが開口されると、操作者はバラ紙幣払出部２４に集積されているバラ紙幣や帯封紙幣払出部４８に集積されている帯封紙幣を取り出すことができる。なお、バラ紙幣払出部２４は、バラ紙幣の出金処理における出金部として機能するとともに、入金処理時において識別できなかったバラ紙幣や正常ではないと識別されたバラ紙幣を排出するための入金リジェクト部としても機能する。
【００３５】
また、バラ紙幣払出部２４の下方には、バラ紙幣の出金処理において、バラ紙幣払出部２４から出金すべきではないと判断されたバラ紙幣（つまり、リジェクト紙幣）が集積される出金リジェクト部２６が設けられている。出金リジェクト部２６の前カバーは、通常、閉鎖されており、出金リジェクト部２６の内部にアクセスすることができない。所定の権限を有する管理者が操作をすることによって、前カバーが開放され、出金リジェクト部２６の内部のリジェクト紙幣を回収することができる。
【００３６】
図２に示すように、投入部１４には、投入されたバラ紙幣を１枚ずつ繰り出すための繰出部１６が設けられている。繰出部１６により投入部１４から繰り出されたバラ紙幣は、搬送部１８により筐体１２内で搬送される。搬送部１８には識別部２０が設けられており、搬送部１８により搬送されるバラ紙幣は識別部２０によりその金種、真偽、表裏、正損、新旧、搬送状態等が識別される。また、搬送部１８には表裏反転部２２が設けられており、識別部２０により識別されたバラ紙幣は表裏反転部２２によりその表裏が揃うように反転させられる。
【００３７】
搬送部１８には、入金一時保留部３０、混合バラ紙幣収納部３２及び複数（図２では３つ）の金種別バラ紙幣収納部３４がそれぞれ接続されている。入金一時保留部３０、混合バラ紙幣収納部３２及び各金種別バラ紙幣収納部３４にはそれぞれ、上下方向に移動可能となっているステージ３０ａ，３２ａ，３４ａが設けられており、ステージ３０ａ，３２ａ，３４ａ上でバラ紙幣が積層状態で集積される。ここで、混合バラ紙幣収納部３２には、各金種別バラ紙幣収納部３４に割り当てられていない金種のバラ紙幣や損券、オーバーフロー紙幣等が混合状態で収納される。また、各金種別バラ紙幣収納部３４には、それぞれ予め設定された特定の金種のバラ紙幣が収納される。
【００３８】
入金一時保留部３０の上端部の近傍には紙幣繰出部３０ｂが設けられており、バラ紙幣は紙幣繰出部３０ｂにより、入金一時保留部３０から１枚ずつ搬送部１８に繰り出され、また、搬送部１８から入金一時保留部３０に１枚ずつ繰り入れられる。混合バラ紙幣収納部３２の上端部の近傍には紙幣繰入部３２ｂが設けられており、バラ紙幣は紙幣繰入部３２ｂにより、搬送部１８から混合バラ紙幣収納部３２に１枚ずつ繰り入れられる。各金種別バラ紙幣収納部３４の上端部の近傍にはそれぞれ紙幣繰出部３４ｂが設けられており、バラ紙幣は紙幣繰出部３４ｂにより、各金種別バラ紙幣収納部３４から１枚ずつ搬送部１８に繰り出され、また、搬送部１８から各金種別バラ紙幣収納部３４に１枚ずつ繰り入れられる。バラ紙幣の出金処理が行われる際には、各金種別バラ紙幣収納部３４から繰り出されたバラ紙幣が搬送部１８により識別部２０に送られ、識別部２０により識別された後にバラ紙幣払出部２４に送られる。
【００３９】
筐体１２の下部には下部扉１２ａが設けられており、操作者は、下部扉１２ａを開くことにより入金一時保留部３０の内部にアクセスできる。また、入金一時保留部３０、混合バラ紙幣収納部３２及び各金種別バラ紙幣収納部３４は、手前側に（図２における左方向に）引き出し可能となっている引出ユニット１３に収容されている。操作者は、下部扉１２ａを開いて引出ユニット１３を手前側に引き出し、混合バラ紙幣収納部３２や各金種別バラ紙幣収納部３４を引出ユニット１３から取り外したり、引出ユニット１３に装着したりできる。
【００４０】
また、搬送部１８には複数（図２では２つ）の集積部４０が接続されており、搬送部１８から送られたバラ紙幣は、集積部４０に積層状態で集積される。集積部４０には、集積されているバラ紙幣を搬送部１８に１枚ずつ繰り出す繰出部が設けられていてもよい。また、所定枚数（例えば１００枚）のバラ紙幣からなる紙幣束に帯封紙を巻くことにより帯封紙幣を作成する帯封部４２が、集積部４０の隣に設けられている。帯封部４２の近傍にはアーム機構４４が設けられている。アーム機構４４は、集積部４０、帯封部４２及び帯封紙幣揚送部４６の間で移動可能となっている。帯封紙幣揚送部４６には、図２における上下方向に移動可能となっている昇降部４６ａが設けられている。帯封部４２及びアーム機構４４によって、紙幣結束機構が構成されている。
【００４１】
帯封処理が行われる際に、アーム機構４４は、集積部４０に集積された所定枚数のバラ紙幣を上下一対のアーム部により保持して、帯封部４２に移動する。帯封部４２において、アーム機構４４に保持された所定枚数のバラ紙幣の外周面に帯封紙が巻かれる。帯封処理が行われた後、アーム機構４４は帯封部４２から帯封紙幣揚送部４６に移動して、昇降部４６ａ上に帯封紙幣を受け渡す。昇降部４６ａの上面は、帯封紙幣が載置される載置面４６ｂに相当する（図４も参照）。
【００４２】
帯封紙幣払出部４８は、帯封紙幣揚送部４６の上側に位置している。帯封紙幣払出部４８は、払出対象の帯封紙幣を保持する払出空間４８ｄを有している。払出空間４８ｄは、帯封紙幣揚送部４６につながっている。払出空間４８ｄはまた、払出口４８ｃにつながっている。昇降部４６ａは、アーム機構４４から昇降部４６ａ上に帯封紙幣が受け渡された後、上方向に移動して、帯封紙幣を帯封紙幣払出部４８に搬送する。
【００４３】
帯封紙幣払出部４８の下部には、複数の爪部４８ｅが配設されている（図４も参照）。詳細は後述するが、爪部４８ｅは、昇降部４６ａから帯封紙幣を受け取る。爪部４８ｅは、帯封紙幣を払出空間４８ｄ内で保持する。図５に例示するように、一つ又は複数の帯封紙幣は、爪部４８ｅの上に積み重なる。
【００４４】
爪部４８ｅの上に帯封紙幣が載置されている状態でシャッター４８ａが開くと、操作者は払出口４８ｃを通じて、爪部４８ｅの上に載置されている帯封紙幣を取り出すことができる。尚、帯封紙幣払出部４８の構成の詳細は、後述する。
【００４５】
この紙幣処理機１０は、帯封紙幣を収納する収納部を備えていない。これにより、紙幣処理機１０は小型化している。
【００４６】
図３は貨幣処理装置１の機能構成の概略を示すブロック図である。図３に示すように、貨幣処理装置１には、各構成要素の制御を行う制御部３００が設けられている。制御部３００には、紙幣処理機１０の構成要素、具体的には、投入部１４、繰出部１６、搬送部１８、識別部２０、表裏反転部２２、入金一時保留部３０（ステージ３０ａの駆動機構や紙幣繰出部３０ｂ）、混合バラ紙幣収納部３２（ステージ３２ａの駆動機構や紙幣繰入部３２ｂ）、金種別バラ紙幣収納部３４（ステージ３４ａの駆動機構や紙幣繰出部３４ｂ）、帯封部４２、アーム機構４４、帯封紙幣揚送部４６（後述する昇降部４６ａの昇降機構４６ｃ）、帯封紙幣払出部４８（後述する帯封紙幣を検知するための第１センサ４８１及び第２センサ４８２を含む）、シャッター２４ａ，４８ａを開閉させるシャッター駆動部２４ｂ，４８ｂ等がそれぞれ接続されている。そして、制御部３００は、識別部２０によるバラ紙幣の識別結果に係る情報等を受け、また、紙幣処理機１０の各構成要素に指令信号を送ることによりその動作を制御する。
【００４７】
また、制御部３００には、硬貨処理機１１０の各構成要素が接続されており、硬貨処理機１１０の動作を制御する。さらに、制御部３００には、操作表示部３０２、印字部３０４、記憶部３１０及び通信インターフェース部３０６がそれぞれ接続されている。
【００４８】
記憶部３１０は、貨幣処理装置１における処理履歴や、貨幣処理装置１に収納されている紙幣や硬貨の在高等の情報を記憶する。
【００４９】
また、制御部３００は、通信インターフェース部３０６を介して、上位端末である管理コンピュータ（図示省略）に対して様々な信号の送受信を行うことができる。
【００５０】
（帯封紙幣の出金処理）
次に、紙幣処理機１０における帯封紙幣の出金処理について説明する。図２の矢印は、帯封紙幣の出金処理を実行しているときの、紙幣の流れを示している。帯封紙幣の出金処理を行う際には、出金対象の金種の紙幣が収納された金種別バラ紙幣収納部３４から、紙幣繰出部３４ｂにより紙幣が一枚ずつ繰り出される。搬送部１８は、繰り出された紙幣を識別部２０へ搬送し、識別部２０は、紙幣の識別を行う。正常な紙幣であると識別された紙幣は、搬送部１８によって集積部４０へ搬送される。集積部４０において、紙幣は積層状態で集積される。なお、識別部２０により識別することができなかった紙幣や、重なって搬送されたり斜行して搬送されたりした紙幣は、搬送部１８によって、出金リジェクト部２６に送られ、この出金リジェクト部２６で集積される。
【００５１】
集積部４０において集積されている所定枚数（例えば、１００枚）のバラ紙幣は、アーム機構４４によって、帯封部４２に搬送される。帯封部４２においてバラ紙幣の外周面に帯封紙が巻かれることによって、帯封紙幣が作成される。帯封処理が行われた後、アーム機構４４は、帯封紙幣を帯封部４２から帯封紙幣揚送部４６へ搬送し、昇降部４６ａの上に帯封紙幣を受け渡す。
【００５２】
その後、帯封紙幣は、昇降部４６ａによって帯封紙幣揚送部４６から帯封紙幣払出部４８に搬送され、爪部４８ｅ上に載せられることによって、払出空間４８ｄ内に保持される。払出空間４８ｄ内に、出金数分の帯封紙幣が保持されると、又は、払出空間４８ｄ内に最大数の帯封紙幣（後述するように、この構成例では最大五個）が保持されると、シャッター４８ａが開く。操作者は、払出空間４８ｄ内に保持されている帯封紙幣を、払出口４８ｃを通じて取り出すことができる。最大数を超える数の帯封紙幣を出金するときには、シャッター４８ａが開いて帯封紙幣を取り出す出金動作が、複数回に分けて行われる。
【００５３】
（帯封紙幣払出部の構成）
図４は、帯封紙幣払出部４８の構成を示している。図４の上図は、帯封紙幣払出部４８の上から見た断面図であり、図４の下図は、帯封紙幣払出部４８の横から見た断面図である。
【００５４】
帯封紙幣払出部４８は、前述したように、払出空間４８ｄを有している。払出空間４８ｄは側壁４８ｆ及び上壁４８ｇによって区画されている。払出空間４８ｄの前側は、払出口４８ｃにつながっている。払出口４８ｃは、前述したように、シャッター４８ａによって開閉する。
【００５５】
複数の爪部４８ｅは、払出空間４８ｄの下部に配設されている。複数の爪部４８ｅは、図４の上図に示すように、払出空間４８ｄにおける、前部、後部及び側部のそれぞれに配設されている。各爪部４８ｅは、その基端部が紙幣処理機１０の筐体側に枢支されている。各爪部４８ｅは、図４に実線で示すように、略水平方向に伸びることによって、側壁４８ｆから払出空間４８ｄの中に突出する状態と、上方に回動することによって、図４に一点鎖線で示すように、側壁４８ｆに沿って上向きに起立する状態とに状態を変更する。爪部４８ｅにはまた、図示は省略するが、例えば捩りバネからなる付勢部材が取り付けられている。付勢部材は、爪部４８ｅを水平方向に伸びる状態に付勢している。後述するように、爪部４８ｅを略水平方向に伸びる状態から上方に回動させる場合には、付勢部材の付勢力に逆らって爪部４８ｅを回動させることとなる。
【００５６】
前述したように、昇降部４６ａは、帯封紙幣揚送部４６から払出空間４８ｄへ帯封紙幣を搬送すると共に、爪部４８ｅへ帯封紙幣を受け渡す。帯封紙幣は、略水平方向に伸びる爪部４８ｅの上に載置される。
【００５７】
昇降部４６ａは、図４の上図に示すように、上から見たときに略矩形状を有している。昇降部４６ａと側壁４８ｆとの間隔は狭い。払出空間４８ｄの中において、昇降部４６ａの上に載置された帯封紙幣Ｂが昇降部４６ａから落下してしまうことが防止される。
【００５８】
昇降部４６ａの縁部には、各爪部４８ｅに対応して切欠部４６ｅが形成されている。昇降部４６ａと爪部４８ｅとが干渉しないため、昇降部４６ａは、爪部４８ｅに衝突することなく爪部４８ｅの高さ位置を通過して、帯封紙幣揚送部４６から払出空間４８ｄへと移動すると共に、払出空間４８ｄから帯封紙幣揚送部４６へと移動することができる。昇降部４６ａはまた、払出空間４８ｄ内を昇降することができる（図４の下図の矢印参照）。
【００５９】
昇降部４６ａとは異なり、昇降部４６ａの載置面４６ｂに載置された帯封紙幣Ｂは、図４の上図に破線で示すように、各爪部４８ｅの先端部と干渉する。載置面４６ｂに載置された帯封紙幣Ｂは、上昇するときには、爪部４８ｅが上向きに回動することによって、帯封紙幣揚送部４６から払出空間４８ｄへと移動することができる一方で、下降するときには、爪部４８ｅに引っかかることによって、払出空間４８ｄから帯封紙幣揚送部４６へと移動することができない。帯封紙幣Ｂは、爪部４８ｅの上に載る。
【００６０】
昇降部４６ａを昇降させる昇降機構４６ｃは、帯封紙幣揚送部４６及び払出空間４８ｄの外側に配設されている。昇降機構４６ｃは、帯封紙幣払出部４８よりも上方の位置と、帯封紙幣揚送部４６よりも下方の位置とのそれぞれに配設されたプーリ４６１と、二つのプーリ４６１の間に巻き掛けられたベルト４６２と、プーリ４６１を回転させる電動モータ４６３（例えばステッピングモータや、ＤＣモータ）と、を備えている。電動モータ４６３が正回転及び逆回転をすると、ベルト４６２が時計回り及び反時計回り方向に走行する。昇降部４６ａは、ベルト４６２に連結されており、二つのプーリ４６１の間でベルト４６２が走行するに伴い、昇降部４６ａが、帯封紙幣揚送部４６及び払出空間４８ｄの中を、昇降する。
【００６１】
ベルト４６２には、検知部材４６４が取り付けられている。検知部材４６４は、ベルト４６２が走行することに伴い、帯封紙幣揚送部４６及び払出空間４８ｄを昇降する。検知部材４６４を検知する第１センサ４８１が、ベルト４６２の走行経路の近傍における、所定位置に配設されている。検知部材４６４は、例えばフォトインタラプタや、リミットスイッチであり、検知部材４６４が、図４に一点鎖線で示す所定位置に到達したことを検出する。検知部材４６４が、第１センサ４８１の位置に到達すると、昇降部４６ａの載置面４６ｂが、払出空間４８ｄの中における所定の最上位位置に到達することになる。最上位位置は、この構成例では、上壁４８ｇの位置である。つまり、第１センサ４８１は、図４の下図に二点鎖線で示すように、昇降部４６ａの載置面４６ｂが上壁４８ｇの位置に到達したことを検知する。尚、検知部材は、ベルト４６２に取り付ける代わりに、昇降部４６ａに取り付けてもよい。第１センサ４８１は、昇降部４６ａの位置を直接、検知するようにしてもよい。
【００６２】
ここで、帯封紙幣Ｂの出金処理のときに、帯封紙幣Ｂを、昇降部４６ａから爪部４８ｅ上に受け渡す手順について説明する。前述したように、帯封部４２から帯封紙幣Ｂを渡された昇降部４６ａは、帯封紙幣揚送部４６を上昇する。昇降部４６ａが、爪部４８ｅの位置に到達すると、昇降部４６ａに載置された帯封紙幣Ｂは、各爪部４８ｅの下面に接触する。昇降部４６ａがさらに上昇すると、帯封紙幣Ｂが各爪部４８ｅを上方に押し上げ、各爪部４８ｅを上方に回動させる。昇降部４６ａがさらに上昇すると、各爪部４８ｅは、図４の下図に一点鎖線で示すように、上向きに起立した状態になり、昇降部４６ａの上に載置された帯封紙幣Ｂと昇降部４６ａとの両方が、各爪部４８ｅの高さ位置を通過して、払出空間４８ｄの中に進入する。昇降部４６ａが払出空間４８ｄの中に進入し、昇降部４６ａと爪部４８ｅとの係合が外れれば、爪部４８ｅが付勢部材の付勢力によって回動し、爪部４８ｅは水平方向に伸びる状態になる。その後、昇降部４６ａが下降することによって、昇降部４６ａは、爪部４８ｅと干渉することなく、爪部４８ｅの高さ位置を通過する一方、昇降部４６ａの上に載置された帯封紙幣Ｂは、爪部４８ｅの上に載る。こうして、昇降部４６ａから爪部４８ｅへ、帯封紙幣Ｂの受け渡しが完了する。
【００６３】
図５に例示するように、払出空間４８ｄ内において、複数の帯封紙幣Ｂは、爪部４８ｅの上において、上下に積み重なる。爪部４８ｅの上に、複数の帯封紙幣Ｂを積み重ねるときには、前述した昇降部４６ａの昇降を繰り返す。こうすることによって、昇降部４６ａの上に載っている新たな帯封紙幣Ｂは、爪部４８ｅの上に載っている帯封紙幣Ｂの下側に重なるように、昇降部４６ａから爪部４８ｅへ、帯封紙幣Ｂが受け渡される。払出空間４８ｄは、爪部４８ｅの上に、最大五個の帯封紙幣Ｂを積み重ねることができるように構成されている。
【００６４】
払出空間４８ｄには、図４に示すように、複数の第２センサ４８２が配設されている。第２センサ４８２は、例えば発光素子と受光素子によって構成されている。第２センサ４８２は、払出空間４８ｄ内に、帯封紙幣Ｂが存在していることを検知する。帯封紙幣Ｂが払出空間４８ｄ内に存在していると、帯封紙幣Ｂが第２センサ４８２を遮光することにより、第２センサ４８２は、帯封紙幣Ｂが存在していることを検知することができる。第２センサ４８２は、帯封紙幣Ｂが昇降部４６ａの上に載っていること（つまり、払出空間４８ｄ内に帯封紙幣Ｂが保持されていること）だけでなく、払出空間４８ｄ内に帯封紙幣Ｂが存在しているか否かを、できるだけ正確に検知できるように、複数個、適宜の位置及び適宜の角度に配設されている。尚、図４に示す第２センサ４８２の配置や角度は、単なる例示である。
【００６５】
帯封紙幣Ｂが払出空間４８ｄ内に存在していても、例えば帯封紙幣Ｂが変形していたり、帯封紙幣Ｂの姿勢が正常でなかったりすると、帯封紙幣Ｂが、第２センサ４８２の光軸をかわしてしまうことが起こり得る。この紙幣処理機１０は、払出空間４８ｄ内に残留している帯封紙幣Ｂの検知精度を高めるために、昇降部４６ａを昇降させることによる残留チェック処理を実行するよう構成されている。
【００６６】
（残留チェック処理）
残留チェック処理は、払出空間４８ｄ内に、帯封紙幣Ｂが残留していないことを確認するための処理である。制御部３００は、払出空間４８ｄ内に帯封紙幣Ｂが存在していないと考えられるタイミングに、残留チェック処理を実行する。残留チェック処理は、下記に記載する様々なタイミングの内の、少なくとも一つにおいて実行する。
【００６７】
つまり、制御部３００は、例えば紙幣処理機１０のリセット動作を行った時に残留チェック処理を実行する。リセット動作を行った時の具体例としては、紙幣処理機１０の電源をオンにして紙幣処理機１０がイニシャル動作を行った時、及び、紙幣処理機１０に発生したエラーを解除し、リセット操作によって紙幣処理機１０がイニシャル動作を行った時が挙げられる。
【００６８】
また、紙幣処理機１０が、帯封紙幣Ｂの出金動作を行った時に、制御部３００は、残留チェック処理を実行する。帯封紙幣の出金動作を行った時とは、具体的には、シャッター４８ａが開いて、操作者が払出空間４８ｄ内から帯封紙幣Ｂを取り出した後である。ここで、シャッター４８ａが開くのは、出金数分の帯封紙幣Ｂの払い出しが行われて出金処理が完了した時の他にも、払出空間４８ｄ内に最大数の帯封紙幣が積み重なったため、払出空間４８ｄ内から帯封紙幣Ｂが取り出された時（出金処理は継続する）も含まれる。
【００６９】
さらに、紙幣処理機１０が、各種の処理を開始する前、及び／又は、各種の処理を終了した後に、制御部３００は、残留チェック処理を実行する。ここで言う各種の処理には、例えば紙幣処理機１０の在高を確認する精査処理や、入金処理及び出金処理等が含まれる。
【００７０】
残留チェック処理において、制御部３００は、昇降部４６ａを、払出空間４８ｄ内において上昇させる。払出空間４８ｄ内に帯封紙幣Ｂが存在していないと、図６に示すように、昇降部４６ａの載置面４６ｂは、上壁４８ｇに到達する。つまり、載置面４６ｂは、払出空間４８ｄ内における最上位位置に到達する。制御部３００は、第１センサ４８１の検知信号に基づいて、載置面４６ｂが払出空間４８ｄ内における最上位位置に到達したことを判断する。
【００７１】
例えば図７に例示するように、帯封紙幣Ｂが側壁４８ｆ等に引っかかること等によって、払出空間４８ｄ内に帯封紙幣Ｂが残留していると、昇降部４６ａが払出空間４８ｄ内において上昇したときに、残留している帯封紙幣Ｂは、昇降部４６ａの載置面４６ｂの上に載るようになる。昇降部４６ａがさらに上昇すると、図８に例示するように、帯封紙幣Ｂは、上壁４８ｇと載置面４６ｂとの間に挟まる。帯封紙幣Ｂが上壁４８ｇと載置面４６ｂとの間に介在するため、載置面４６ｂは、上壁４８ｇまで到達しない。制御部３００は、昇降部４６ａの上昇を開始してから、予め定めた所定時間が経過しても、第１センサ４８１が、載置面４６ｂが最上位位置に到達したことを検知しないときに、載置面４６ｂが最上位位置に到達しないと判断する。払出空間４８ｄ内に帯封紙幣Ｂが存在（つまり、残留）している、又は、存在している可能性がある。
【００７２】
ここで、載置面４６ｂが上壁４８ｇに到達したか否かは、第１センサ４８１の検知信号に基づいて判断すること以外にも、様々な手法を採用することができる。例えば昇降部４６ａの昇降機構４６ｃの駆動源である電動モータ４６３の動作に基づき、昇降部４６ａの上昇を開始してから所定時間が経過する前に、電動モータ４６３の回転がロックしたときに、制御部３００は、載置面４６ｂが上壁４８ｇに到達しないと判断してもよい。また、例えば昇降機構４６ｃの駆動源がＤＣモータであれば、昇降部４６ａの上昇を開始してから所定時間が経過する前に、ＤＣモータの供給電流値が所定以上になったときに、制御部３００は、載置面４６ｂが上壁４８ｇに到達しないと判断してもよい。
【００７３】
残留チェック処理の結果、帯封紙幣Ｂが残留している、又は、残留している可能性があるときには、紙幣処理機１０は、操作者に帯封紙幣Ｂを取り出させるための取出処理を実行する。具体的には、昇降部４６ａが下降して、払出空間４８ｄから帯封紙幣揚送部４６へ退避する。残留チェック処理時に、上壁４８ｇと載置面４６ｂとの間に挟まった帯封紙幣Ｂは、ほとんどの場合、昇降部４６ａの下降と共に下に降りてきて爪部４８ｅの上に載るようになる。また、昇降部４６ａの下降と共に、帯封紙幣Ｂが下に降りて来なかったとしても、帯封紙幣Ｂの位置や姿勢が変化することによって、第２センサ４８２は、帯封紙幣Ｂを検知することができるようになる。第２センサ４８２が帯封紙幣Ｂを検知すれば、シャッター４８ａを開放する
残留チェック処理後の取出処理の実行時に、第２センサ４８２が帯封紙幣Ｂを検知しないときには、昇降部４６ａを上昇させて、残留チェック処理をもう一度、行うようにしてもよい。その結果、帯封紙幣Ｂの残留を検知することができなかったときには、帯封紙幣Ｂが存在していないとして残留チェック処理を終了してもよい。一方、再度の残留チェック処理においても、帯封紙幣Ｂの残留が検知されたときには、再び、取出処理へ移行すればよい。二回目以降の取出処理において、第２センサ４８２が帯封紙幣Ｂを検知することができないときには、紙幣処理機１０をエラーダウンさせてもよい。
【００７４】
次に、図９のフローチャートを参照しながら、残留チェック処理を含む、帯封紙幣Ｂの出金処理の手順を説明する。先ず、スタート後のステップＳ１において、制御部３００は、操作者ＩＤの取得を行う。具体的には、操作表示部３０２に認証画面を表示し、操作者に、認証操作を実行させる。操作者の認証が完了すれば、プロセスは、ステップＳ２に進む。
【００７５】
ステップＳ２において、制御部３００は、帯封紙幣Ｂの出金が指示されたか否かを判定する。認証操作の完了後、操作表示部３０２には、例えば図１１に示すメニュー画面Ｄ２が表示される。操作者が、操作表示部３０２によって帯封紙幣Ｂの出金を選択して、出金貨幣の金種別枚数等を入力したときに、プロセスは、ステップＳ２からステップＳ３に進む。
【００７６】
ステップＳ３において、制御部３００は、前述したように、金種別バラ紙幣収納部３４から繰り出したバラ紙幣によって、帯封紙幣Ｂを作成する処理を実行する。その後のステップＳ４において、制御部３００は、作成した帯封紙幣Ｂの出金動作を行う。払出空間４８ｄ内には、出金数又は最大数の帯封紙幣Ｂが保持される。払出空間４８ｄ内に帯封紙幣Ｂが保持されると、シャッター４８ａが開放される。
【００７７】
ステップＳ５において、制御部３００は、帯封紙幣Ｂが、払出空間４８ｄから取り出されたか否かを判定する。制御部３００は、具体的には、第２センサ４８２の検知信号に基づいて、ステップＳ５の判定を行う。操作者が払出空間４８ｄ内の帯封紙幣Ｂを取り出し、第２センサ４８２が帯封紙幣Ｂを検知しなくなると、ステップＳ５の判定がＹＥＳとなり、プロセスはステップＳ６に進む。第２センサ４８２が帯封紙幣Ｂを検知している間は、プロセスは、ステップＳ５を繰り返す。帯封紙幣Ｂの取り出しが行われない、又は、帯封紙幣Ｂの取り残しがある等のときに、制御部３００は、必要に応じて、操作者に帯封紙幣Ｂの取り出しを促す報知や警報を行ってもよい（例えば操作表示部３０２に警報画面を表示したり、警報音を発したりしてもよい）。第２センサ４８２が帯封紙幣Ｂを検知しなくなると、シャッター４８ａが閉まる。
【００７８】
ステップＳ６において、制御部３００は、残留チェック処理を実行する。具体的に制御部３００は、前述の通り、昇降部４６ａを払出空間４８ｄ内において上昇させ、載置面４６ｂが最上位位置に到達したか否かを、第１センサ４８１の検知信号に基づいて判断する（図６、７、８参照）。
【００７９】
続くステップＳ７において、制御部３００は、残留チェック処理の結果、帯封紙幣Ｂが残留していなかったか否かを判断する。帯封紙幣Ｂが残留していないときには、プロセスは、ステップＳ１１に進む。また、それ以外のときには、プロセスは、ステップＳ８に進む。
【００８０】
払出空間４８ｄ内に帯封紙幣Ｂが残留している、又は、残留している可能性があるため、ステップＳ８において制御部３００は、操作者に対する警告報知を行う。制御部３００は、例えば図１０に例示するような警報画面Ｄ１を、操作表示部３０２に表示する。警報画面Ｄ１は、操作者に、払出空間４８ｄ内から帯封紙幣Ｂの取り出しを促すメッセージを含んでいる。
【００８１】
続くステップＳ９において制御部３００は、残留している帯封紙幣Ｂを、操作者に取り出させるための取出処理を実行する。制御部３００は、具体的には、昇降部４６ａを下降して、昇降部４６ａを払出空間４８ｄから帯封紙幣揚送部４６に退避させると共に、第２センサ４８２が帯封紙幣Ｂを検知しているときには、シャッター４８ａを開ける。
【００８２】
ステップＳ１０において、制御部３００は、第２センサ４８２の検知信号に基づいて、操作者が帯封紙幣Ｂを、払出空間４８ｄから取り出したか否かを判断する。帯封紙幣が取り出されると、プロセスは、ステップＳ１０からステップＳ１１に進む。一方、帯封紙幣Ｂが取り出されないと、プロセスは、ステップＳ１０からステップＳ８に戻り、操作者に、帯封紙幣の取り出しを促す。
【００８３】
前述したように、ステップＳ９の取出処理の際に、第２センサ４８２が、払出空間内に帯封紙幣が存在していることを検知しないときには、プロセスは、ステップＳ９からステップＳ６に戻り、制御部３００は、残留チェック処理をもう一度実行すればよい。
【００８４】
ステップＳ７において、残留チェック処理の結果、帯封紙幣Ｂの残留が無かったと判定されたとき、又は、ステップＳ１０において、残留していた帯封紙幣Ｂが払出空間４８ｄから取り出されたときに、プロセスは、ステップＳ１１に進む。ステップＳ１１において制御部３００は、未出金の帯封紙幣Ｂが無いか否かを判定する。未出金の帯封紙幣Ｂは、出金対象の帯封紙幣でありかつ、払出空間４８ｄに保持することができる帯封紙幣Ｂの最大数の制限により未だ払い出されていない帯封紙幣Ｂを意味する。ステップＳ１１の判定がＮＯのときには、プロセスは、ステップＳ３に戻り、帯封紙幣Ｂの作成及び払出を継続する。ステップＳ１１の判定がＹＥＳのときには、出金処理が完了したことになるため、プロセスは、ステップＳ１２に進む。ステップＳ１２において、制御部３００は、印字部３０４に出金ジャーナルを発行させる。
【００８５】
紙幣処理機１０が実行する残留チェック処理は、昇降部４６ａを払出空間４８ｄ内において上昇させ、払出空間４８ｄ内に存在している帯封紙幣Ｂと昇降部４６ａとが係合することを利用して帯封紙幣Ｂの存在を検知する。払出空間４８ｄ内における帯封紙幣Ｂの検知漏れがなくなり、帯封紙幣Ｂの残留を検知する精度が高まる。また、多数のセンサ等が不要であるため、安価に実現することができる。
【００８６】
また、残留チェック処理は、第２センサ４８２が帯封紙幣Ｂを検知していない時に実行する。無駄な残留チェック処理を行わないことによって、時間が節約される。また、残留チェック処理は、帯封紙幣Ｂが載置面４６ｂと上壁４８ｇとの間に挟まれるため、帯封紙幣Ｂが破損したり、払出空間４８ｄ内の部材が破損したりする恐れがあるが、無駄な残留チェック処理を行わないことによって、そうした破損が発生することを回避することができる。
【００８７】
（払出パターンの設定）
前述したように、この構成例の紙幣処理機１０における払出空間４８ｄは、最大五個の帯封紙幣Ｂを保持することが可能に構成されている。しかしながら、最大数の帯封紙幣Ｂが払出空間４８ｄに保持されると、払出空間４８ｄが一杯になって、集積された帯封紙幣Ｂの周囲の空き空間が狭くなる結果、操作者は、払出口４８ｃを通じて、帯封紙幣Ｂを取り出しにくくなる場合がある。
【００８８】
そこで、この紙幣処理機１０は、払出空間４８ｄに保持する帯封紙幣Ｂの最大数、言い換えると、一度に払い出される帯封紙幣Ｂの数を、操作者が変更可能に構成されている。
【００８９】
図１１は、貨幣処理装置１の操作表示部３０２に表示されるメニュー画面Ｄ２の一例である。このメニュー画面Ｄ２は、設定ボタンＢ１を含んでいる。操作者が設定ボタンＢ１を操作することによって、貨幣処理装置１に関する各種の設定を行うことができる。
【００９０】
図１２は、紙幣処理機１０の帯封設定を行う設定画面Ｄ３を例示している。操作者は、前述した帯封紙幣の数の変更を、この設定画面Ｄ３において行うことができる。帯封紙幣Ｂの数の変更は、この構成例では、二つのパターンによって可能である。一つは、帯封紙幣払出部４８から一度に払い出される帯封紙幣Ｂの上限を設定するパターンＡである。パターンＡを選択したときには、一度に払い出される帯封紙幣Ｂの上限数を、一個〜五個の範囲で変更することができる。
【００９１】
もう一つは、帯封紙幣払出部４８からの払出回数を最小回数に制限した上で、一回の出金動作時に払い出される帯封紙幣Ｂの数を、略均等にするパターンＢである。
【００９２】
パターンＡ及びパターンＢについて、図１３を参照しながら具体的に説明をする。ここで、帯封紙幣Ｂの出金処理において、合計七個の帯封紙幣Ｂが出金されると仮定する。払出パターンのデフォルト設定は、パターンＡで、上限を五個（つまり、払出空間４８ｄに保持可能な最大数）にすることである。この場合は、図１３の上図に示すように、紙幣処理機１０は、一回目の出金動作時に、払出空間４８ｄ内に五個の帯封紙幣Ｂを保持する。操作者は、五個の帯封紙幣Ｂを、払出空間４８ｄから取り出す。紙幣処理機１０は、二回目の出金動作時に、残りの二個の帯封紙幣Ｂを、払出空間４８ｄ内に保持する。操作者は、二個の帯封紙幣Ｂを、払出空間４８ｄから取り出す。合計七個の帯封紙幣Ｂを出金する場合、払出回数の最小回数は二回である。
【００９３】
次に、パターンＡで上限を三個に設定すると、図１３の中図に示すように、紙幣処理機１０は、一回目の出金動作時に、払出空間４８ｄ内に三個の帯封紙幣Ｂを保持する。操作者は、三個の帯封紙幣Ｂを、払出空間４８ｄから取り出す。紙幣処理機１０は、二回目の出金動作時にも、同じ三個の帯封紙幣Ｂを、払出空間４８ｄ内に保持する。操作者は、三個の帯封紙幣Ｂを、払出空間４８ｄから取り出す。紙幣処理機１０は、三回目の出金動作時に、残り一個の帯封紙幣Ｂを払出空間４８ｄ内に保持し、操作者は、一個の帯封紙幣Ｂを、払出空間４８ｄから取り出す。図１３からも明らかなように、帯封紙幣Ｂの数を少なくすることによって、払出空間４８ｄ内に集積された帯封紙幣Ｂの周囲の空き空間が広くなるため、操作者は、払出口４８ｃを通じて、帯封紙幣Ｂを取り出しやすくなる。その一方で、一度に払い出される帯封紙幣Ｂの数を少なくすると、払出回数は、最小回数よりも増える場合がある。
【００９４】
パターンＡにおいて上限数を設定すると、例えば図１４に例示するように、帯封紙幣Ｂの出金処理の実行時に、操作表示部３０２に表示される画面Ｄ４において、一度に払い出される帯封紙幣Ｂの上限、例えば「上限３束」といったように表示するようにしてもよい。こうすることで、操作者の利便性が高まる。
【００９５】
次に、パターンＢを選択すると、払出回数の最小回数は、前述したように二回であるため、七個の帯封紙幣Ｂは、四個と三個とに分けて払い出される。例えば図１３の下図に示すように、紙幣処理機１０は、一回目の出金動作時に、払出空間４８ｄ内に四個の帯封紙幣Ｂを保持する。操作者は、四個の帯封紙幣Ｂを、払出空間４８ｄから取り出す。紙幣処理機１０は、二回目の出金動作時に、三個の帯封紙幣Ｂを、払出空間４８ｄ内に保持する。操作者は、三個の帯封紙幣Ｂを、払出空間４８ｄから取り出す。尚、一回目の出金動作時に、三個の帯封紙幣Ｂを払い出し、二回目の出金動作時に、四個の帯封紙幣Ｂを払い出してもよい。パターンＢにおいては、取り出し回数を少なくしながら、帯封紙幣Ｂを取り出しやすくなる。
【００９６】
この紙幣処理機１０は、払出パターンを変更可能に構成しているため、操作者の好みに応じて払出パターンを変えることができる。払出回数を少なくしたい場合は、パターンＡにおいて上限数を大に設定するか、パターンＢを選択すればよい。一方、払出空間４８ｄからの帯封紙幣Ｂの取り出し易さを優先する場合は、パターンＡにおいて上限数を小に設定するか、パターンＢを選択すればよい。払出パターンの変更によって、紙幣処理機１０の使い勝手が向上する。
【００９７】
（紙幣処理機の他の構成例）
図１５は、図２とは異なる構成の紙幣処理機１００の内部構成を概略的に示す構成図である。前述した残留チェック処理や、払出パターンの設定は、図１５の紙幣処理機１００にも適用することが可能である。紙幣処理機１００は、帯封紙幣を搬送する帯封紙幣搬送部６０及び帯封紙幣を収納する帯封紙幣収納部７０を備えていることを除いて、紙幣処理機１０と構成は、ほぼ同じである。
【００９８】
帯封紙幣収納部７０は、筐体１２の内部における上部領域に配設されている。帯封紙幣収納部７０は、この構成例では、四つの帯封紙幣収納部７０が設けられている。各帯封紙幣収納部７０の内部にはそれぞれ、上下方向に移動可能であるステージ７０ａが設けられている。帯封部４２により作成された帯封紙幣は、帯封紙幣収納部７０の上端部に設けられた開口からステージ７０ａ上に積層状態で集積される。各帯封紙幣収納部７０から帯封紙幣を出す場合には、ステージ７０ａが上昇して、各帯封紙幣収納部７０の開口から帯封紙幣が上方に出される。各帯封紙幣収納部７０には、それぞれ予め設定された特定の金種の帯封紙幣が収納される。ただし、複数の帯封紙幣収納部７０のうち少なくとも１つは、金種が異なる帯封紙幣を混合状態で収納するようにしてもよい。
【００９９】
帯封紙幣搬送部６０は、各帯封紙幣収納部７０の上方に設けられている。帯封紙幣搬送部６０は、複数の突起６０ａが等間隔で設けられた循環ベルト６０ｂを有しており、この循環ベルト６０ｂは図１５における時計回りの方向及び反時計回りの方向の両方向に循環移動可能である。帯封紙幣搬送部６０によって搬送される帯封紙幣は、循環ベルト６０ｂの下面に沿って突起６０ａにより引っ掛けられた状態で左右いずれかの方向に移動する。
【０１００】
紙幣処理機１００の帯封紙幣揚送部４６は、紙幣処理機１０の帯封紙幣揚送部４６と同様に上下方向に伸びている一方で、紙幣処理機１０の帯封紙幣揚送部４６とは異なり、帯封紙幣払出部４８の払出空間４８ｄを兼ねている。つまり、紙幣処理機１００の帯封紙幣揚送部４６は、帯封紙幣搬送部６０の位置まで伸びている。
【０１０１】
帯封紙幣揚送部４６の上端と帯封紙幣収納部７０との間に識別部６２が設けられている。識別部６２は、搬送される帯封紙幣の金種を、例えばその最下面の紙幣の撮像画像から識別する。識別部６２はまた、帯封紙幣の紙幣や帯封紙の状態、例えば破れや汚れの有無等を識別する。なお、図１５の構成では識別部６２は搬送路の下側に設けているが、例えば搬送路の上側に設けてもよいし、搬送路の上下に設けてもよい。搬送路の上側に設けた場合には、識別部６２は、搬送される帯封紙幣の金種をその最上面の紙幣の撮像画像から識別する。
【０１０２】
ここで、帯封部４２により作成された帯封紙幣を各帯封紙幣収納部７０に収納させる際には、帯封紙幣は、アーム機構４４から帯封紙幣揚送部４６の昇降部４６ａ上に受け渡された後に、昇降部４６ａの上昇によって帯封紙幣搬送部６０の近傍の位置まで達する。循環ベルト６０ｂは反時計回りの方向に循環移動する。これにより、昇降部４６ａ上の帯封紙幣は突起６０ａに引っ掛けられて、循環ベルト６０ｂの下面に沿って右方向に搬送され、識別部６２によりその金種が判別された後、識別部６２による識別結果に基づいて、対応する帯封紙幣収納部７０に収納される。
【０１０３】
一方、帯封紙幣収納部７０に収納されている帯封紙幣を出金する際には、循環ベルト６０ｂは時計回りの方向に循環移動する。帯封紙幣収納部７０から上方に押し出された最上位の帯封紙幣が突起６０ａにより引っ掛けられて循環ベルト６０ｂの下面に沿って左方向に搬送される。また、昇降部４６ａが上昇して帯封紙幣搬送部６０の近傍の位置まで達する。そして、搬送される帯封紙幣は、その金種が識別部６２により識別（確認）された後、上方位置で待機していた昇降部４６ａ上に集積される。複数の帯封紙幣を出金する際には、帯封紙幣の送り込みに合わせて昇降部４６ａが所定量（具体的には、帯封紙幣の厚み寸法相当）ずつ下降する。昇降部４６ａ上に所定数の帯封紙幣が集積されると、当該昇降部４６ａが帯封紙幣払出部４８の下端と同じレベルまで下降し、シャッター４８ａが開く。これにより、操作者は帯封紙幣払出部４８から帯封紙幣を取り出すことができる。
【０１０４】
また、投入部１４に投入されたバラ紙幣から帯封紙幣を作成すると共に、当該帯封紙幣を帯封紙幣払出部４８から出金する場合、及び、金種別バラ紙幣収納部３４に収納されているバラ紙幣から帯封紙幣を作成すると共に、当該帯封紙幣を帯封紙幣払出部４８から出金する場合には、図２に示す紙幣処理機１０と同様に、帯封部４２において帯封紙幣が作成されると、アーム機構４４によって昇降部４６ａの上に、帯封紙幣が載置される。昇降部４６ａは、帯封紙幣を払出空間４８ｄに搬送する。出金対象の帯封紙幣は、払出空間４８ｄ内に保持される。
【０１０５】
シャッター４８ａが開くと、操作者は払出空間４８ｄの内部にアクセスして保持されている帯封紙幣を取り出すことができる。
【０１０６】
紙幣処理機１００において残留チェック処理を行う時にも、制御部３００は、昇降部４６ａを、払出空間４８ｄ内において上昇させる。払出空間４８ｄ内に帯封紙幣Ｂが存在していないと、昇降部４６ａの載置面４６ｂは、帯封紙幣搬送部６０に近接する高さ位置に到達する。紙幣処理機１００において所定の最上位位置は、帯封紙幣搬送部６０の循環ベルト６０ｂの下面の位置である。制御部３００は、第１センサ４８１の検知信号に基づいて、載置面４６ｂが払出空間４８ｄ内における最上位位置に到達したことを判断する。紙幣処理機１００においても、払出空間４８ｄ内における帯封紙幣Ｂの検知漏れがなくなり、帯封紙幣Ｂの残留を検知する精度を高めることができる。
【０１０７】
尚、ここに開示する技術は、紙幣処理機に適用することに限らず、小切手や商品券等の各種の紙葉類を処理する紙葉類処理装置に広く適用することが可能である。
【符号の説明】
【０１０８】
１０  紙幣処理機（紙葉類処理装置）
１００  紙幣処理機（紙葉類処理装置）
３００  制御部
４６ａ  昇降部
４６ｂ  載置面
４８  帯封紙幣払出部（払出部）
４８ｃ  払出口
４８ｄ  払出空間
４８２  第２センサ（検知部）
Ｂ  帯封紙幣（帯封紙葉類）
【図１】
2019016047.tif 000003
【図２】
2019016047.tif 000004
【図３】
2019016047.tif 000005
【図４】
2019016047.tif 000006
【図５】
2019016047.tif 000007
【図６】
2019016047.tif 000008
【図７】
2019016047.tif 000009
【図８】
2019016047.tif 000010
【図９】
2019016047.tif 000011
【図１０】
2019016047.tif 000012
【図１１】
2019016047.tif 000013
【図１２】
2019016047.tif 000014
【図１３】
2019016047.tif 000015
【図１４】
2019016047.tif 000016
【図１５】
2019016047.tif 000017